(57)【要約】【課題】構造が簡単で防雨性が高く、しかも簡単に施工できる防雨シール材の提供である。【解決手段】外壁Ｗの縦目地１を防水状態でシールするために、一対一組となって使用されるゴム等の弾性材から成る長尺状の防雨シール材Ｓ１  であって、前記縦目地１の内壁面１ａに密着される基板部１３と、該基板部１３の幅方向の両端部に対向して一体形成された各シール板部１４とでシール材本体１１が形成され、該シール材本体１１の基板部１３の裏面に、前記シール材本体１１を縦目地１の垂直内壁面１ａに取付けるための被取付部１２が一体形成され、前記縦目地１内において一対のシール材Ｓ１  を対向配置して、各シール材Ｓ１  のシール板部１４を弾性変形により相互に密着させてシール機能を奏させる。【選択図】        図５
2004183373.tif 000002
【特許請求の範囲】
【請求項１】
外壁類の縦目地を防水状態でシールするために、一対一組となって使用されるゴム等の弾性材から成る長尺状の防雨シール材であって、
前記縦目地の内壁面に密着される基板部と、該基板部の幅方向の両端部に対向して一体形成された各シール板部とでシール材本体が形成され、該シール材本体の基板部の裏面に、前記シール材本体を目地部内壁面に取付けるための被取付部が一体形成され、
前記縦目地内において一対のシール材を対向配置して、各シール材のシール板部を弾性変形により相互に密着させてシール機能を奏させることを特徴とする防雨シール材。
【請求項２】
一対一組となって使用される各シール材の露出側のシール板部の外面には、外壁類と同等色の色彩層が積層一体化されていることを特徴とする請求項１に記載の防雨シール材。
【請求項３】
外壁類の横目地を防水状態でシールするためのゴム等の弾性材から成る長尺状の防雨シール材であって、
前記横目地の上側の内壁面に密着される基板部と、取付状態で前記基板部の前端側の端縁部に下方に向けて一体に設けられて、その下端部が前記横目地の下側の内壁面に弾性変形して密着するシール板部とでシール材本体が形成され、該シール材本体の基板部の上面に、前記シール材本体を目地部内壁面に取付けるための被取付部が一体形成されていることを特徴とする防雨シール材。
【請求項４】
シール材本体を構成するシール板部の外面には、外壁類と同等色の色彩層が積層一体化されていることを特徴とする請求項３に記載の防雨シール材。
【請求項５】
横目地は、横断面視で段差状になっていて、シール材本体の基板部の略後半部には、前記横目地に所定間隔をおいて配置される台座部材との干渉を回避すべく切欠き部が形成されていることを特徴とする請求項３又は４に記載の防雨シール材。
【発明の詳細な説明】
【０００１】
【発明の属する技術分野】
本発明は、外壁類に形成された目地部を防雨状態でシールするための防雨シール材に関するものである。
【０００２】
【従来の技術】
上記目的に使用される防雨シール材は、防雨シール片を有していて「レインバリア」とも称されており、種々のものが開発されているが、防雨性を高めるために、その構造が複雑となり、また施工性も十分とは言えないものが多かった。
【０００３】
一方、外壁類の目地部に防雨シール材が使用された場合、この防雨シール材の前面は露出状態となる。この防雨シール材はゴム等の弾性材で形成されていて、その材質色と外壁類の色彩との不調和によって、外観が害されることもあった。
【０００４】
【発明が解決しようとする課題】
本発明の課題は、構造が簡単で防雨性が高く、しかも簡単に施工できる防雨シール材の提供である。
【０００５】
【課題を解決するための手段】
上記の課題を解決するための請求項１の発明は、外壁類の縦目地を防水状態でシールするために、一対一組となって使用されるゴム等の弾性材から成る長尺状の防雨シール材であって、前記縦目地の内壁面に密着される基板部と、該基板部の幅方向の両端部に対向して一体形成された各シール板部とでシール材本体が形成され、該シール材本体の基板部の裏面に、前記シール材本体を目地部内壁面に取付けるための被取付部が一体形成され、前記縦目地内において一対のシール材を対向配置して、各シール材のシール板部を弾性変形により相互に密着させてシール機能を奏させることを特徴としている。
【０００６】
請求項１の発明によれば、外壁類の縦目地内において一対のシール材を対向配置して、各シール材のシール板部を弾性変形により相互に密着させて防雨シール機能を奏させていて、手前側と奥側の双方（二箇所）において、各シール材のシール板部が弾接するために、防雨シール性が高まる。また、各シール材のシール板部を弾性変形により相互に密着させて防雨シール機能を奏させているため、縦目地の幅のバラツキを吸収したうえで、防雨シール性が発揮される。また、防雨シール材は、その被取付部を介して縦目地の内壁面となる外壁類の側面に取付けられるために、防雨シール材を取付けたままで外壁類を構成するブロック体の移動が可能であり、しかも外壁類を構成していて横方向に隣接するブロック体を所定位置に設置するのみで、二つの防雨シール材が対向配置されて、各シール板部が弾接してシール機能が発揮されるために、その施工も容易となる。
【０００７】
また、請求項２の発明は、請求項１の発明において、一対一組となって使用される各シール材の露出側のシール板部の外面には、外壁類と同等色の色彩層が積層一体化されていることを特徴としている。
【０００８】
請求項２の発明によれば、各シール材の露出側のシール板部の外面に積層一体化された色彩層と外壁類の色彩とが同調して、外壁類とシール材との色彩の違和感が解消されるために、外壁類の目地部の外観が良好となる。
【０００９】
また、請求項３の発明は、外壁類の横目地を防水状態でシールするためのゴム等の弾性材から成る長尺状の防雨シール材であって、前記横目地の上側の内壁面に密着される基板部と、取付状態で前記基板部の前端側の端縁部に下方に向けて一体に設けられて、その下端部が前記横目地の下側の内壁面に弾性変形して密着するシール板部とでシール材本体が形成され、該シール材本体の基板部の上面に、前記シール材本体を目地部内壁面に取付けるための被取付部が一体形成されていることを特徴としている。
【００１０】
請求項３の発明によれば、基板部の前端側の端縁部に下方に向けて一体に設けられた１枚のシール板部のみによって、横目地の幅のバラツキを吸収したうえで防雨シールが行える。また、外壁類を構成していて相上下する各ブロック体のうち上方のブロック体の下面に被取付部を介して防雨シール材を取付けておくのみで、相上下する各ブッロク体の間に形成された水平目地部に防雨シール材が配置されるために、施工も容易となる。
【００１１】
また、請求項４の発明は、請求項３の発明において、シール材本体を構成するシール板部の外面には、外壁類と同等色の色彩層が積層一体化されていることを特徴としている。
【００１２】
請求項４の発明によれば、シール材のシール板部の外面に積層一体化された色彩層と外壁類の色彩とが同調して、外壁類とシール材との色彩の違和感が解消されるために、外壁類の目地部の外観が良好となる。
【００１３】
また、請求項５の発明は、請求項３又は４の発明において、横目地は、横断面視で段差状になっていて、シール材本体の基板部の略後半部には、前記横目地に所定間隔をおいて配置される台座部材との干渉を回避すべく切欠き部が形成されていることを特徴としている。
【００１４】
シール材本体の基板部の略後半部は、横目地の横断面視における傾斜部の入口側を閉塞していると共に、横目地の入口部から傾斜部にかけて台座部材が挿入されて、前記横目地の間隔を保持している。請求項５の発明によれば、シール材本体の基板部の略後半部における前記台座部材との干渉部は、部分的に切り欠かれているので、台座部材と干渉することなく、横目地の入口部と、その奥側の傾斜部の下端部との双方（二箇所）において、横目地を防雨シールできる。
【００１５】
【発明の実施の形態】
以下、実施形態を挙げて、本発明を更に詳細に説明する。図１は、外壁Ｗの縦目地１及び横目地２が、それぞれ本発明に係る防雨シール材Ｓ１，Ｓ２  で防雨シールされた状態を示す斜視図であり、図２は、縦目地１をシールするための防雨シール材Ｓ１  の斜視図であり、図３は、ブロック体Ｂの側面３に防雨シール材Ｓ１  を取付ける状態を示す斜視図であり、図４は、外壁Ｗを構成する各ブロック体Ｂの横方向の対向側面３に形成された各防雨シール材Ｓ１  の取付溝４ａにそれぞれ防雨シール材Ｓ１  が取付けられた状態の断面図であり、図５は、外壁Ｗの縦目地１の横断面図である。最初に、外壁Ｗの縦目地１を防雨シールするための防雨シール材Ｓ１  と、その取付構造について説明し、その後に、横目地２を防雨シールするための防雨シール材Ｓ２  と、その取付構造について説明する。
【００１６】
まず、外壁Ｗは、図１に示されるように、多数のコンクリート製のブロック体Ｂを縦横に配置して形成され、各ブロック体Ｂの両側面３には、防雨シール材Ｓ１  を取付ける取付溝４ａと、バックアップ材Ａを取付ける２本の取付溝４ｂとの計３本の取付溝４ａ，４ｂ  が奥行方向に所定間隔をおいて垂直に形成されている。防雨シール材Ｓ１  を取付ける取付溝４ａは、ブロック体Ｂの上面５及び下面６（図８参照）には達しておらず、その手前部分で停止している。また、図８に示されるように、各ブロック体Ｂの上面５及び下面６は、それぞれ手前側及び奥側の各水平面部５ａ，５ｂ（６ａ，６ｂ）が傾斜面部５ｃ（６ｃ）を介して接続して段差状に形成されていて、その下面６の各水平面部６ａ，６ｂ  には、それぞれ取付溝７，８が形成されているが、その上面５においては、奥側の水平面部５ｂのみに取付溝７が形成されている。また、上面５の手前側の水平面部５ｂ  は、奥側が僅かに高くなるように僅かに傾斜している。そして、各ブロック体Ｂを縦横に配置することにより、横方向に隣接する各ブロック体Ｂの間には縦目地１が形成されると共に、相上下する各ブロック体Ｂの間には、断面視で段差状となって横目地２が形成される。なお、各ブロック体Ｂの前面には、多数の化粧タイル９が貼り付けられている。
【００１７】
防雨シール材Ｓ１  は、図２ないし図４に示されるように、断面略コの字形をしたシール材本体１１と、縦目地１の垂直内壁面１ａ（ブロック体Ｂの側面３）に形成された取付溝４ａに嵌着されて、前記シール材本体１１を縦目地１の垂直内壁面１ａ（ブロック体Ｂの側面３）に取付けるための被取付部１２とで構成される。この防雨シール材Ｓ１  は長尺状をしていて、ゴム材等の弾性材、好ましくはＥＰＤＭを押出成形して形成される。シール材本体１１は、縦目地１の垂直内壁面１ａに密着する基板部１３と、該基板部１３の幅方向の両端部に対向して一体に形成された各シール板部１４とから成る。シール材本体１１を構成する基板部１３は、その全幅に亘って一定の肉厚であるが、各シール板部１４は、基板部１３に接続された基端部から自由端となっている先端に向けて漸次薄肉となっており、しかも縦目地１内に配置された状態で、露出側となるシール板部１４の外面には、ＥＰＤＭ等の弾性材の原料素材の色彩とは異なって、外壁Ｗと同等色である薄肉の色彩層１５が積層一体化されている。この色彩層１５は、防雨シール材Ｓ１  の押出成形時において、二種類の原料を押出成形ダイ内に同時に供給して行う「二色成形」により容易に成形可能である。
【００１８】
また、シール材本体１１を構成する基板部１３の裏面側であって、しかもその幅方向の中心から取付状態で奥側にずれた部分には、縦目地１の垂直内壁面１ａに形成された取付溝４ａに嵌着される被取付部１２が一体に形成されている。この被取付部１２は、中空状の芯部１６の両側面にそれぞれ複数本（実施形態では２本）のリップ片１７が形成された構成であって、図４に示されるように、前記取付溝３に嵌着されると、芯部１６の両側面に一体形成された各リップ片１７は、弾性変形して取付溝４ａの各テーパー内壁面に弾接する。これにより、縦目地１の垂直内壁面１ａの部分は、取付溝４ａに嵌着された被取付部１２によって奥行方向のシール性が確保される。
【００１９】
次に、外壁Ｗの横目地２を防雨シールするための防雨シール材Ｓ２  及びその取付構造について説明する。図６は、防雨シール材Ｓ２  及び横目地２の間隔を形成するための台座部材３１の各斜視図であり、図７は、上下の各ブロック体Ｂの間に形成される横目地２の間隔が台座部材３１で定められて、この横目地２が防雨シール材Ｓ２  でシールされることを示す斜視図であり、図８は、横目地２の断面図である。
【００２０】
横目地２をシールする防雨シール材Ｓ２  は、断面略Ｌ字状をしたシール材本体２１と、取付状態においてシール材本体２１を構成する基板部２３の上面に一体に形成される被取付部２２とで構成される。シール材本体２１は、横目地２の上側内壁面２ａ（上側のブロック体Ｂの下面６の手前側の水平面部６ａ）〔図８参照〕に密着される基板部２３と、この基板部２３の前端側の端縁部に下方に向けて一体に形成されたシール板部２４とで構成される。シール板部２４は、その外面に外壁Ｗと同等色の色彩層２５が積層一体化されていて、その下端部（先端部）は、その先端縁に向けて漸次薄肉となっていて、弾性変形を容易にしてある。この防雨シール材Ｓ２  は、前記防雨シール材Ｓ１  と同様の材料により押出成形により形成されて、長尺状をなしている。
【００２１】
また、図７及び図８にそれぞれ示されるように、横目地２の高さ（上下方向の寸法）は、上下の各ブロック体Ｂの手前側の水平面部５ａ，６ａ  と、その後方の傾斜面部５ｃ，６ｃ  に密着して介装される多数の台座部材３１によって定められる。多数の台座部材３１は、横目地２の長手方向に沿って所定間隔をおいて配置される。このため、防雨シール材Ｓ２  には、図６に示されるように、これを横目地２に取付けた場合に、その基板部２３と台座部材３１との干渉を回避するための多数の切欠き２３ａが形成されている。
【００２２】
また、防雨シール材Ｓ２  の被取付部２２の構造は、前記防雨シール材Ｓ１  のそれと同一であって、中空構造の芯部２６の両側面に複数のリップ片２７がそれぞれ形成された構成である。
【００２３】
そして、多数のブロック体Ｂを縦横に配置して形成される縦目地１及び横目地２を、上記した各防雨シール材Ｓ１，Ｓ２  によりシールするには、以下のようにして行う。まず、図３及び図４に示されるように、横方向に隣接する各ブロック体Ｂの側面３の各取付溝４ａに防雨シール材Ｓ１  の被取付部１２をそれぞれ嵌着させて、その基板部１３を前記側面３に密着させて、各ブロック体Ｂの側面３に防雨シール材Ｓ１  をそれぞれ取付けると共に、２本の取付溝４ｂのうち奥側の取付溝４ｂにバックアップ材Ａの被取付部４１をそれぞれ圧入して、各ブロック体Ｂの側面３にバックアップ材Ａをそれぞれ取付けておく。
【００２４】
上記の状態で、横方向に隣接する各ブロック体Ｂを所定の縦目地１が形成されるまで近接させると、図４及び図５に示されるように、各ブロック体Ｂの側面３に対向して取付けられた各防雨シール材Ｓ１  の手前側及び奥側の各シール板部１４がそれぞれ弾性変形して互いに重なり合う。即ち、互いに重なり合う異なる防雨シール材Ｓ１  の二つの各シール板部１４は、その手前側及び奥側に配置される各シール板部１４が、それぞれ手前側及び奥側に僅かに弾性変形されることにより、互いに密着して重なり合う。このように、手前側と奥側の二箇所において、異なる防雨シール材Ｓ１  の二つの各シール板部１４が互い重なり合うため、縦目地１は、前後の二箇所において防雨シールされる。また、防雨シール材Ｓ１  に設けられた二つのシール板部１４のうち露出側（手前側）に配置されるものは、その外面に外壁Ｗと同等色の色彩を有する色彩層１５が積層一体化されているため、防雨シール材Ｓ１  と外壁Ｗの各色彩が同調して、外壁Ｗと防雨シール材Ｓ１  との色彩の違和感が解消される。このため、外壁Ｗの縦目地１の部分の外観が良好となる。なお、縦目地１内に配置されることとなった各バクアップ材Ａは、互いに弾接して変形されて、縦目地１の奥側を閉塞する。
【００２５】
一方、図７及び図８に示されるように、相上下する各ブロック体Ｂのうち、上方のブロック体Ａの下面６に設けられた各取付溝７，８に、それぞれ防雨シール材Ｓ２  及びバックアップ材Ａの各被取付部２２，４１を嵌着、或いは圧入させることにより、ブロック体Ｂの下面６に、それぞれ防雨シール材Ｓ２  及びバックアップ材Ａを取付けておく。また、下方のブロック体Ｂの上面５の手前側の水平面部５ａと傾斜面部５ｃとの間に亘って複数の台座部材３１を所定間隔をおいて載せておくと共に、前記上面５に設けられた取付溝８にバックアップ材Ａの被取付部４１を圧入させて、下方のブロック体Ｂの上面５にバックアップ材Ａを取付け、更に、このバックアップ材Ａの後方に耐火目地材３２を載せておく。
【００２６】
上記の状態で、上方のブロック体Ｂを下げて、下方のブロック体Ｂの直上に配置すると、複数の台座部材３１によって横目地２の高さが定められて、防雨シール材Ｓ２  の手前側のシール板部２４の下端部が僅かに前方に向けて弾性変形されて、下方のブロック体Ｂの上面５（横目地２の内壁面２ａとなる面）に弾接密着させられると共に、基板部２３の幅方向の後端部が僅かに上方に弾性変形されて、下方のブロック体Ｂの上面の傾斜面部５ｃに弾接する。これにより、横目地２は、その手前側の部分が垂直配置されたシール板部２４により、またその奥側の部分が水平配置された基板部２３により、相前後する二箇所においてそれぞれシールされる。また、防雨シール材Ｓ２  のシール板部２４の前面には、前記防雨シール材Ｓ１  と同様にして、外壁Ｗと同等色の色彩層２５が積層一体化されているために、横目地２においても、外壁Ｗの色彩との違和感がなくなって、色彩的に同調するため、横目地２の部分の外観が良好となる。
【００２７】
また、各防雨シール材Ｓ１，Ｓ２  は、その被取付部１２，２２を介して縦目地１の内壁面１ａ（ブロック体Ｂの側面３）及び横目地２の上側の内壁面２ａ（ブロック体Ｂの下面６の手前側の水平面部６ａ）  に取付けられるために、各防雨シール材Ｓ１，Ｓ２  を取付けたままでブロック体Ｂの移動が可能であり、しかも外壁Ｗを構成していて横方向又は上下方向に隣接する各ブロック体Ｂを所定位置に設置するのみで、各防雨シール材Ｓ１，Ｓ２  のシール板部１４，２４が各目地１，２の内壁面１ａ，２ａ  に弾接してシール機能が発揮されるために、その施工も容易となる。
【００２８】
なお、縦目地１と横目地２との交差部には、閉塞ゴム材４２が挿入配置されるため、この交差部におけるシール性も図られる。
【００２９】
【発明の効果】
請求項１の発明によれば、外壁類の縦目地内において一対のシール材を対向配置して、各シール材のシール板部を弾性変形により相互に密着させて防雨シール機能を奏させていて、手前側と奥側の双方（二箇所）において、各シール材のシール板部が弾接するために、防雨シール性が高まる。また、一対一組となって使用される各シール材の露出側のシール板部の外面に外壁類と同等色の色彩層が積層一体化されている場合には、各シール材の露出側のシール板部の外面に積層一体化された色彩層と外壁類の色彩とが同調して、外壁類とシール材との色彩の違和感が解消されるために、外壁類の目地部の外観が良好となる。
【００３０】
また、請求項３の発明によれば、基板部の前端側の端縁部に下方に向けて一体に設けられた１枚のシール板部のみによって、横目地の幅のバラツキを吸収したうえで防雨シールが行える。
【図面の簡単な説明】
【図１】外壁Ｗの縦目地１及び横目地２が、それぞれ本発明に係る防雨シール材Ｓ１，Ｓ２  で防雨シールされた状態を示す斜視図である。
【図２】縦目地１をシールするための防雨シール材Ｓ１  の斜視図である。
【図３】ブロック体Ｂの側面３に防雨シール材Ｓ１  を取付ける状態を示す斜視図である。
【図４】外壁Ｗを構成する各ブロック体Ｂの対向側面３に形成された各取付溝４ａにそれぞれ防雨シール材Ｓ１  が取付けられた状態の断面図である。
【図５】外壁Ｗの縦目地１の横断面図である。
【図６】防雨シール材Ｓ２  及び横目地２の間隔を形成するための台座部材３１の各斜視図である。
【図７】上下の各ブロック体Ｂの間に形成される横目地２の間隔が台座部材３１で定められて、この横目地２が防雨シール材Ｓ２  でシールされることを示す斜視図である。
【図８】横目地２の断面図である。
【符号の説明】
Ｓ１，Ｓ２  ：防雨シール材
Ｗ：外壁
１：縦目地
２：横目地
１１，２１：シール材本体
１２，２２：被取付部
１３，２３：基板部
１４，２４：シール板部
１５，２５：色彩層
【図１】
2004183373.tif 000003
【図２】
2004183373.tif 000004
【図３】
2004183373.tif 000005
【図４】
2004183373.tif 000006
【図５】
2004183373.tif 000007
【図６】
2004183373.tif 000008
【図７】
2004183373.tif 000009
【図８】
2004183373.tif 000010